(57)【特許請求の範囲】
【請求項１】
ワンウェイクラッチにおいて、
クラッチ部の内側と外側とのいずれか一側に備えられる固定部(11)と上記固定部(11)に対応する位置に備えられる出力部(12)、上記固定部(11)と出力部(12)の間に備えられる入力部(13)及び出力部(12)側に備えられて出力部(12)の正方向キーロックされるようにする正方向キー手段(21)とで構成し、
キー手段を出力部(12)に回転制御反対方向へ奥行きが狭くなるように形成したキーホーム(20a)と上記キーホーム(20a)に収容されて入力部(13)のロック解除動作によりロックが解除されるキー(20b)で構成し、
キー手段のキー(20b)と入力部(13)の間で上記入力部(13)によりキー(20b)を押して上記キー(20b)のロックを解除させる解除レバー(23)を備え、
上記解除レバー(23)は、一端が出力部(12)に回転支持され、上記回転支持側の反対側が入力部(13)によって加圧され、中央部が入力部(13)の加圧力に対してキー(20b)と接するように構成したことを特徴とする
ワンウェイクラッチ。
【請求項２】
上記正方向キー手段(21)に反対方向へ備えられて、出力部(12)を他方向キーロックされるようにする逆方向キー手段(22)を備えたことを特徴とする
請求項１に記載のワンウェイクラッチ。
【請求項３】
キー手段は、正方向と逆方向に対して、各々備えられる２個のキーホーム(20a)と、上記２個のキーホーム(20a)の間に備えられる１個のキー(20b)とで構成したことを特徴とする
請求項１に記載のワンウェイクラッチ。
【請求項４】
キーホーム(20a)にキー(20b)を弾性支持する弾性支持具(20c)を備えたことを特徴とする
請求項１に記載のワンウェイクラッチ。
【請求項５】
上記入力部(13)による出力部(12)の安定的な駆動ができるように、入力部(13)に出力部(12)へ突出される駆動突起(13a)を形成し、これに対応する出力部(12)に、円周方向へ一定の幅で形成される突起拘束ホーム(12a)を形成したことを特徴とする
請求項１に記載のワンウェイクラッチ。
【請求項６】
上記キー(20b)の形状は、球形状に設けたことを特徴とする
請求項１に記載のワンウェイクラッチ。
【請求項７】
上記キー(20b)の形状は、円柱形状に設けたことを特徴とする
請求項１に記載のワンウェイクラッチ。
【発明の詳細な説明】
【技術分野】
【０００１】
本発明はワンウェイクラッチに関して、さらに詳しくはワンウェイクラッチにおいて、クラッチ部の内側と外側とのいずれか一側に備えられる固定部と上記固定部に対応する位置に備えられる出力部、上記固定部と出力部の間に備えられる入力部及び出力部に備えられて出力部の正方向キーロックされるようにする正方向キー手段とで構成して、出力部の正方向キーロックができ、入力部によって出力部の両方向回転が制御されることができるようにすることを目的とする。
【０００２】
本発明の他の目的は、正方向キー手段に反対方向へ備えられて出力部を他方向キーロックされるようにする逆方向キー手段を備えて、出力部の正逆方向キーロックができ、入力部によって出力部の両方向回転が制御されることができるようにすることを目的としたものである。
【０００３】
本発明の他の目的は、キー手段を出力部に回転制御反対方向へ奥行きが狭くなるように形成したキーホームと上記キーホームに収容されて入力部のロック解除動作によりロックが解除されるキーとで構成して、出力部のロックが明確にできるようにすることを目的としたものである。
【０００４】
本発明のさらに他の目的は、キー手段のキーと入力部の間にキーホームのキーを押して出力部を他方向回転させる解除レバーを備えて、出力部のキーロックが明確で容易にできるようにすることを目的としたものである。
【０００５】
本発明のさらに他の目的は、キーホームにキーを弾性支持する弾性支持具を備えてキーのキーロックが明確にできるようにすることを目的としたものである。
【背景技術】
【０００６】
一般に、ワンウェイクラッチは、一方向のみに回転力を伝達し、他方向へ空回りする構造を指す。
【０００７】
以上のようなワンウェイクラッチが代表的に使用される自転車の後輪に適用されて、ペダルを踏んで牽引されるチェーンにより後輪のスプロケットホイールが回転して自転車を走らせ、ペダルを踏まない時は、後輪が空回りされるようにするものである。
【０００８】
また、ワンウェイクラッチは、自動車の自動変速機にも適用されて実施しているものである。
【０００９】
上述のようなワンウェイクラッチは、回転力が出力される出力部と回転力が入力される入力部及び上記入力部と出力部の間に備えられるワンウェイ結束手段とで構成されるものである。
【００１０】
上記ワンウェイ結束手段は、入力部と出力部とのいずれか一側に備えられ、入力部への回転力の入力により出力部或は入力部を係止結束させて、入力部の回転力が出力部へ伝達されるようにするワンウェイキーで構成されるものである。
【００１１】
しかし、上述したような従来のワンウェイクラッチは、入力部による出力部への回転が一方向のみに回転させるように構成されていて、入力部による出力部の他方向回転制御が不可能な問題点があった。
【発明の概要】
【発明が解決しようとする課題】
【００１２】
ここで本発明は、上記のような従来のワンウェイクラッチが、入力部による出力部への回転が一方向のみに回転させることができるように構成されていて、入力部による出力部の他方向回転制御が不可能な問題点を解決することができるようにしたものである。
【課題を解決するための手段】
【００１３】
即ち本発明は、ワンウェイクラッチにおいて、クラッチ部の内側と外側とのいずれか一側に備えられる固定部と上記固定部に対応する位置に備えられる出力部、上記固定部と出力部の間に備えられる入力部及び出力部側に備えられて出力部の正方向キーロックされるようにする正方向キー手段とで構成したことを特徴とするものである。
【００１４】
また本発明は、正方向キー手段に反対方向へ備えられて出力部を他方向キーロックされるようにする逆方向キー手段を備えたことを特徴とするものである。
【００１５】
さらに本発明は、キー手段を出力部に回転制御反対方向へ奥行きが狭くなるように形成したキーホームと上記キーホームに収容されて入力部のロック解除動作によりロックが解除されるキーとで構成したことを特徴とするものである。
【００１６】
また本発明は、キー手段のキーと入力部の間にキーホームのキーを押して出力部を他方向回転させる解除レバーを備えたことを特徴とするものである。
【００１７】
さらに本発明は、キーホームにキーを弾性支持する弾性支持具を備えたことを特徴とするものである。
【発明の効果】
【００１８】
従って本発明は、固定部と出力部の間に備えられる入力部を備えて出力部の正方向キーロックされるようにする正方向キー手段を備えることにより、正方向キー手段によって出力部の正方向回転がキーロックされ、入力部によって正方向キー手段のキーロックが解除されて、入力部による出力部の正方向回転ができるとともに入力部による出力部の他方向回転ができて、入力部によって出力部が正逆方向回転される効果を得るものである。
【００１９】
また、本発明は、出力部を他方向キーロックされるようにする逆方向キー手段を備えることにより、出力部の正方向キーロックとともに出力部の他方向キーロックができて、出力部の回転制御が明確にできる効果を得るものである。
【００２０】
さらに本発明は、キーホームのキーを押して出力部を他方向回転させる解除レバーを備えることにより、入力部によるキーロックの解除時、解除レバーによるキーの解除プッシュと、解除レバーによる出力部の解除回転によってキーロックがスムーズで明確にできる効果を得るものである。
【００２１】
また本発明は、キーホームにキーを弾性支持する弾性支持具を備えることによって、キー手段による出力部のキーロックが明確にできる効果を得るものである。
【図面の簡単な説明】
【００２２】
【図１】図１は、本発明の実施において、固定軸が中心に位置し、出力軸は外面に位置し、入力軸が中間に位置して、一方向のみ適用されたことを示す例示図である。
【図２】図２は、本発明の実施において、固定軸が中心に位置し、出力軸は外面に位置し、入力軸が中間に位置して、一方向のみ適用された状態で、入力部に回転力の非認可時、回転が固定された状態を示す例示図である。
【図３】図３は、本発明の実施において、固定軸が中心に位置し、出力軸は外面に位置し、入力軸が中間に位置して、一方向のみ適用された状態で、入力部に他方向回転力の認可によりキーが解除されて、出力部が他方向回転されることを示す例示図である。
【図４】図４は、本発明の実施において、固定軸が中心に位置し、出力軸は外面に位置し、入力軸が中間に位置して、両方向が適用されたことを示す例示図である。
【図５】図５は、本発明の実施において、出力軸が中心に位置し、固定軸は外面に位置し、入力軸が中間に位置して、両方向が適用されたことを示す例示図である。
【図６】図６は、本発明の実施において、固定軸が中心に位置し、出力軸は外面に位置し、入力軸が中間に位置して、１個のキーが適用されたことを示す例示図である。
【図７】図７は、本発明の実施において、出力軸が中心に位置し、固定軸は外面に位置し、入力軸が中間に位置して、１個のキーが適用されたことを示す例示図である。
【図８】図８は、本発明の実施において、固定軸が中心に位置し、出力軸は外面に位置し、入力軸が中間に位置して、１個のキーが適用され、両側に解除レバーが備えられたことを示す例示図である。
【図９】図９は、本発明の実施において、出力軸が中心に位置し、固定軸は外面に位置し、入力軸が中間に位置して、１個のキーが適用され、両側に解除レバーが備えられたことを示す例示図である。
【発明を実施するための形態】
【００２３】
本明細書及び請求範囲に使用されている用語や単語は、通常的又は辞典的な意味に限定して解釈されてはいけないものであり、発明者は自分の発明を最も最善の方法で説明するために、用語の概念を適切に定義することができるという原則に即して、本発明の技術的思想に符合する意味と概念によって解釈される必要がある。
【００２４】
したがって、本明細書に記載された実施例と図面に示した構成は、本発明の最も好ましい一実施例に過ぎないものであり、本発明の全ての技術的思想を代弁するものではないので、本発明の出願時点においてこれらが代替できる多様な均等物と変形例のある可能性を理解する必要がある。
【００２５】
以下、添付の図面に基づいて詳しく説明すると、次のようである。
【００２６】
本発明は、ワンウェイクラッチが入力部の他方向及び正方向の回転力が全部出力部に伝達されるようにしたものである。
【００２７】
即ち、本発明は、ワンウェイクラッチにおいて、クラッチ部の内側と外側とのいずれか一側に備えられる固定部(11)と上記固定部(11)に対応する位置に備えられる出力部(12)、上記固定部(11)と出力部(12)の間に備えられる入力部(13)及び出力部(12)側に備えられて出力部(12)の正方向キーロックされるようにする正方向キー手段(21)とで構成したものである。
【００２８】
また、本発明の他の実施例においては、正方向キー手段(21)に反対方向へ備えられて、出力部(12)を他方向キーロックされるようにする逆方向キー手段(22)を備えて実施できるものである。
【００２９】
また、本発明のさらに他の実施例においては、キー手段を出力部(12)に回転制御反対方向へ奥行きが狭くなるように形成したキーホーム(20a)と上記キーホーム(20a)に収容されて入力部(13)のロック解除動作によりロックが解除されるキー(20b)とで構成して実施できるものである。
【００３０】
さらに、上記キー(20b)の形状は、球形状又は円柱形状又は楔形状など、固定部(11)と出力部(12)のキーホーム(20a)の間で摩擦ロック又は楔ロックができる様々な形状で実施できるものである。
【００３１】
一方、上記正方向キー手段(21)と逆方向キー手段(22)を全部適用して実施することにおいて、キー手段は、正方向と逆方向に対して各々備えられる２個のキーホーム(20a)と、上記２個のキーホーム(20a)の間に備えられる１個のキー(20b)とで構成して実施できるものである。
【００３２】
また、本発明のさらに他の実施例においては、キー手段のキー(20b)と入力部(13)の間で、上記入力部(13)によりキー(20b)を押して上記キー(20b)のロックを解除させる解除レバー(23)を備えて実施できるものである。
【００３３】
上記解除レバー(23)は、一端が出力部(12)に回転支持され、上記回転支持側の反対側が入力部(13)によって加圧され、中央部が入力部(13)の加圧力に対してキー(20b)と接するように構成して実施できるものである。
【００３４】
上記解除レバー(23)は、解除動作時、垂直に立てられた際に、固定部(11)に引っ掛からない長さで形成して実施することが好ましい。
【００３５】
また、本発明のさらに他の実施例においては、キーホーム(20a)にキー(20b)を弾性支持する弾性支持具(20c)を備えて実施できるものである。
【００３６】
上記弾性支持具(20c)は、キーホーム(20a)から突出形成された弾性片で形成して実施できるものである。
【００３７】
上記弾性支持具(20c)は、キーホーム(20a)に収納されるキー(20b)を弾性支持するキー(20b)スプリングで構成して実施できるものである。
【００３８】
また、本発明の実施において、入力部(13)による出力部(12)の安定的な駆動ができるように、入力部(13)に出力部(12)へ突出される駆動突起(13a)を形成し、これに対応する出力部(12)に、円周方向へ一定の幅で形成される突起拘束ホーム(12a)を形成して実施できるものである。
【００３９】
以下、本発明の動作過程について説明すると、次のようである。
【００４０】
上述したように、ワンウェイクラッチにおいて、クラッチ部の内側と外側とのいずれか一側に備えられる固定部(11)と上記固定部(11)に対応する位置に備えられる出力部(12)、上記固定部(11)と出力部(12)の間に備えられる入力部(13)および出力部(12)側に備えられて出力部(12)の正方向キーロックされるようにする正方向キー手段(21)とで構成した本発明を適用して実施すると、正方向キー手段によって出力部の正方向回転がキーロックされ、入力部によって正方向キー手段のキーロックが解除されて、入力部による出力部の正方向回転ができることになるとともに、入力部による出力部の他方向回転ができて、入力部によって出力部が正逆方向回転されるものである。
【００４１】
また、本発明の実施において、正方向キー手段(21)に反対方向へ備えられて出力部(12)を他方向キーロックされるようにする逆方向キー手段(22)を備えて実施すると、入力部(13)による出力部(12)の回転が両方に回転駆動できるものである。
【００４２】
さらに、本発明の実施において、キー手段のキー(20b)と入力部(13)の間で上記入力部(13)によりキー(20b)を押して上記キー(20b)のロックを解除させる解除レバー(23)を備えて実施すると、キーホーム(20a)にロックされたキー(20b)が解除レバー(23)によりスムーズに解除されて、動作が安定的にできるものである。
【００４３】
また、本発明の実施において、キーホーム(20a)にキー(20b)を弾性支持する弾性支持具(20c)を備えて実施すると、キー(20b)のキーホーム(20a)拘束が明確にできて、出力部(12)の回転制御が明確にできるものである。
【００４４】
さらに、本発明の実施において、入力部(13)に出力部(12)側へ突出される駆動突起(13a)を形成し、これに対応する出力部(12)に円周方向へ一定の幅で形成される突起拘束ホーム(12a)を形成して実施すると、入力部(13)による出力部(12)の安定的な駆動ができるものである。
【図１】
0006488060.tif 000002
【図２】
0006488060.tif 000003
【図３】
0006488060.tif 000004
【図４】
0006488060.tif 000005
【図５】
0006488060.tif 000006
【図６】
0006488060.tif 000007
【図７】
0006488060.tif 000008
【図８】
0006488060.tif 000009
【図９】
0006488060.tif 000010